(57)【特許請求の範囲】
【請求項１】
コンテンツを記録する記録装置と、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、前記第１から第３の処理のそれぞれの実行を指示するユーザ操作を受け付けるための表示アイテムを表示する機能を有し、
前記制御手段は、前記第１から第３の処理のうち実行指示のためのユーザ操作を不能にする処理に対応する表示アイテムを表示させないかまたは無効状態の表示とすることにより、実行指示のためのユーザ操作を不能にすることを特徴とするコンテンツ管理システム。
【請求項２】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、前記処理手段は、記録中のコンテンツの直前に記録されたコンテンツの付加情報を該実行指示とともに受信した付加情報で更新することを特徴とするコンテンツ管理システム。
【請求項３】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、前記処理手段は、前記第３の処理の実行により付加情報が更新されるまでは、該実行指示とともに受信した付加情報を記録中のコンテンツに関連付けるべき付加情報として保持することを特徴とするコンテンツ管理システム。
【請求項４】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、ユーザ操作に応じて前記第１から第３の処理のいずれかの実行指示を付加情報とともに前記記録装置に前記通信手段を介して送信し、
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理手段は、該実行指示とともに受信した付加情報を直前に記録を終えたコンテンツに関連付けることを特徴とするコンテンツ管理システム。
【請求項５】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第１または第２の処理の実行指示のためのユーザ操作が不能になるまでの間に前記第１または第２の処理の実行指示が前記操作装置から送信され、前記記録装置がコンテンツの記録中に前記第１または第２の処理の実行指示を受信した場合、または、前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理手段は、受信した実行指示を無視することを特徴とするコンテンツ管理システム。
【請求項６】
前記記録装置がコンテンツを記録中であるか否かを判定する判定手段をさらに備えることを特徴とする請求項１乃至５のいずれか１項に記載のコンテンツ管理システム。
【請求項７】
前記操作装置は、前記第１から第３の処理のそれぞれの実行を指示するユーザ操作を受け付けるための表示アイテムを表示する機能を有し、
前記制御手段は、前記第１から第３の処理のそれぞれ対応する表示アイテムを表示させないかまたは無効状態の表示とすることにより、実行指示のためのユーザ操作を不能にする、ことを特徴とする請求項２乃至５のいずれか１項に記載のコンテンツ管理システム。
【請求項８】
前記記録装置と前記操作装置は別体で構成され、無線または有線による通信手段により接続され、
前記操作装置は、ユーザ操作に応じて前記第１から第３の処理の実行指示を付加情報とともに前記記録装置に前記通信手段を介して送信することを特徴とする請求項１に記載のコンテンツ管理システム。
【請求項９】
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、前記処理手段は、記録中のコンテンツの直前に記録されたコンテンツの付加情報を該実行指示とともに受信した付加情報で更新することを特徴とする請求項３と４と８の何れか１項に記載のコンテンツ管理システム。
【請求項１０】
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、前記処理手段は、前記第３の処理の実行により付加情報が更新されるまでは、該実行指示とともに受信した付加情報を記録中のコンテンツに関連付けるべき付加情報として保持することを特徴とする請求項２と４と８のいずれか１項に記載のコンテンツ管理システム。
【請求項１１】
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理手段は、該実行指示とともに受信した付加情報を直前に記録を終えたコンテンツに関連付けることを特徴とする請求項２と３と８のいずれか１項に記載のコンテンツ管理システム。
【請求項１２】
コンテンツを記録する記録手段を備えた記録装置と通信が可能な操作装置であって、
前記記録装置で直前に記録されたコンテンツに付加情報を関連付けて記録する第１の処理と、前記記録装置でこれから記録されるコンテンツに関連付けて付加情報を記録する第２の処理の少なくとも一方の処理の実行指示、及び、前記記録装置で現在記録しているコンテンツに関連付けて付加情報を記録する第３の処理の実行指示、をそれぞれに対応したユーザ操作に応じて指示する指示手段と、
前記記録装置がコンテンツを記録中である場合は、前記第１と第２の処理の実行指示のためのユーザ操作を不能にするとともに、前記第３の処理の実行指示のためのユーザ操作を可能にし、前記記録装置がコンテンツを記録中ではない場合は、前記第１と第２の処理の少なくとも一方の実行指示のためのユーザ操作を可能にするとともに前記第３の処理の実行指示のためのユーザ操作を不能にする制御手段と、を備え、
前記第１から第３の処理のそれぞれの実行を指示するユーザ操作を受け付けるための表示アイテムを表示する機能を有し、前記制御手段は、前記第１から第３の処理のうち実行指示のためのユーザ操作を不能にする処理に対応する表示アイテムを表示させないかまたは無効状態の表示とすることにより、実行指示のためのユーザ操作を不能にすることを特徴とする操作装置。
【請求項１３】
コンテンツに付加情報を付加するためのユーザ操作を受け付ける操作装置と通信が可能な、前記コンテンツを記録する記録装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理手段を備え、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、前記処理手段は、記録中のコンテンツの直前に記録されたコンテンツの付加情報を該実行指示とともに受信した付加情報で更新することを特徴とする記録装置。
【請求項１４】
コンテンツに付加情報を付加するためのユーザ操作を受け付ける操作装置と通信が可能な、前記コンテンツを記録する記録装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理手段を備え、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、前記処理手段は、前記第３の処理の実行により付加情報が更新されるまでは、該実行指示とともに受信した付加情報を記録中のコンテンツに関連付けるべき付加情報として保持することを特徴とする記録装置。
【請求項１５】
コンテンツに付加情報を付加するためのユーザ操作を受け付ける操作装置と通信が可能な、前記コンテンツを記録する記録装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理手段を備え、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理手段は、該実行指示とともに受信した付加情報を直前に記録を終えたコンテンツに関連付けることを特徴とする記録装置。
【請求項１６】
コンテンツに付加情報を付加するためのユーザ操作を受け付ける操作装置と通信が可能な、前記コンテンツを記録する記録装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理手段を備え、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第１または第２の処理の実行指示のためのユーザ操作が不能になるまでの間に前記第１または第２の処理の実行指示が前記操作装置から送信され、前記記録装置がコンテンツの記録中に前記第１または第２の処理の実行指示を受信した場合、または、前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理手段は、受信した実行指示を無視することを特徴とする記録装置。
【請求項１７】
コンテンツを記録する記録装置と、前記コンテンツに付加情報を付加するためのユーザ操作を受け付ける操作装置とを有するコンテンツ管理システムの制御方法であって、
処理手段が、直前に記録されたコンテンツに付加情報を関連付けて記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有し、
前記操作装置は、前記第１から第３の処理のそれぞれの実行を指示するユーザ操作を受け付けるための表示アイテムを表示する機能を有し、
前記制御工程では、前記第１から第３の処理のうち実行指示のためのユーザ操作を不能にする処理に対応する表示アイテムを表示させないかまたは無効状態の表示とすることにより、実行指示のためのユーザ操作を不能にすることを特徴とするコンテンツ管理システムの制御方法。
【請求項１８】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムの制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有し、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、前記処理工程では、記録中のコンテンツの直前に記録されたコンテンツの付加情報を該実行指示とともに受信した付加情報で更新することを特徴とするコンテンツ管理システムの制御方法。
【請求項１９】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムの制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有し、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、前記処理工程では、前記第３の処理の実行により付加情報が更新されるまでは、該実行指示とともに受信した付加情報を記録中のコンテンツに関連付けるべき付加情報として保持することを特徴とするコンテンツ管理システムの制御方法。
【請求項２０】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムの制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有し、
前記操作装置は、ユーザ操作に応じて前記第１から第３の処理のいずれかの実行指示を付加情報とともに前記記録装置に前記通信手段を介して送信し、
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理工程では、該実行指示とともに受信した付加情報を直前に記録を終えたコンテンツに関連付けることを特徴とするコンテンツ管理システムの制御方法。
【請求項２１】
コンテンツを記録する記録装置と、前記記録装置と別体で構成され、無線または有線による通信手段によって前記記録装置と通信可能である、前記コンテンツに付加情報を付加するためのユーザ操作を受け付ける操作装置とを有するコンテンツ管理システムの制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有し、
前記操作装置は、ユーザ操作に応じて前記第１から第３の処理のいずれかの実行指示を付加情報とともに前記記録装置に前記通信手段を介して送信し、
前記記録装置が記録中になったことに応じて前記第１または第２の処理の実行指示のためのユーザ操作が不能になるまでの間に前記第１または第２の処理の実行指示が前記操作装置から送信され、前記記録装置がコンテンツの記録中に前記第１または第２の処理の実行指示を受信した場合、または、前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理工程では、受信した実行指示を無視することを特徴とするコンテンツ管理システムの制御方法。
【請求項２２】
コンテンツを記録する記録手段を備えた記録装置と通信が可能な操作装置の制御方法であって、
指示手段が、前記記録装置で直前に記録されたコンテンツに付加情報を関連付けて記録する第１の処理と、前記記録装置でこれから記録されるコンテンツに関連付けて付加情報を記録する第２の処理の少なくとも一方の処理の実行指示、及び、前記記録装置で現在記録しているコンテンツに関連付けて付加情報を記録する第３の処理の実行指示、をそれぞれに対応したユーザ操作に応じて指示する指示工程と、
制御手段が、前記記録装置がコンテンツを記録中である場合は、前記第１と第２の処理の実行指示のためのユーザ操作を不能にするとともに、前記第３の処理の実行指示のためのユーザ操作を可能にし、前記記録装置がコンテンツを記録中ではない場合は、前記第１と第２の処理の少なくとも一方の実行指示のためのユーザ操作を可能にするとともに前記第３の処理の実行指示のためのユーザ操作を不能にする制御工程と、を有し、
前記制御工程では、前記第１から第３の処理のそれぞれの実行を指示するユーザ操作を受け付けるための表示アイテムを表示する機能を実行する場合に、前記第１から第３の処理のうち実行指示のためのユーザ操作を不能にする処理に対応する表示アイテムを表示させないかまたは無効状態の表示とすることにより、実行指示のためのユーザ操作を不能にすることを特徴とする操作装置の制御方法。
【請求項２３】
コンテンツに付加情報を付加するためのユーザ操作を受け付ける操作装置と通信が可能な、前記コンテンツを記録する記録装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理工程を有し、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、前記処理工程では、記録中のコンテンツの直前に記録されたコンテンツの付加情報を該実行指示とともに受信した付加情報で更新することを特徴とする記録装置の制御方法。
【請求項２４】
コンテンツに付加情報を付加するためのユーザ操作を受け付ける操作装置と通信が可能な、前記コンテンツを記録する記録装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理工程を有し、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、前記処理工程では、前記第３の処理の実行により付加情報が更新されるまでは、該実行指示とともに受信した付加情報を記録中のコンテンツに関連付けるべき付加情報として保持することを特徴とする記録装置の制御方法。
【請求項２５】
コンテンツに付加情報を付加するためのユーザ操作を受け付ける操作装置と通信が可能な、前記コンテンツを記録する記録装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理工程を有し、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理工程では、該実行指示とともに受信した付加情報を直前に記録を終えたコンテンツに関連付けることを特徴とする記録装置の制御方法。
【請求項２６】
コンテンツに付加情報を付加するためのユーザ操作を受け付ける操作装置と通信が可能な、前記コンテンツを記録する記録装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応した前記操作装置におけるユーザ操作に応じて送信される実行指示に応じて実行する処理工程を有し、
前記記録装置がコンテンツを記録中である場合は、前記操作装置において、前記第１と第２の処理の実行指示のためのユーザ操作が不能になるとともに、前記第３の処理の実行指示のためのユーザ操作が可能となり、前記記録装置がコンテンツを記録中ではない場合は、前記操作装置において前記第１と第２の少なくとも一方の処理の実行指示のためのユーザ操作が可能になるとともに前記第３の処理の実行指示のためのユーザ操作が不能になり、
前記操作装置は、ユーザ操作に応じて前記第１から第３の処理のいずれかの実行指示を付加情報とともに前記記録装置に送信し、
前記記録装置が記録中になったことに応じて前記第１または第２の処理の実行指示のためのユーザ操作が不能になるまでの間に前記第１または第２の処理の実行指示が前記操作装置から送信され、前記記録装置がコンテンツの記録中に前記第１または第２の処理の実行指示を受信した場合、または、前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、前記処理工程では、受信した実行指示を無視することを特徴とする記録装置の制御方法。
【請求項２７】
コンピュータを、請求項１乃至１１のいずれか１項に記載のコンテンツ管理システムの各手段として機能させるためのプログラム。
【請求項２８】
コンピュータを、請求項１乃至１１のいずれか１項に記載のコンテンツ管理システムの各手段として機能させるためのプログラムを格納した、コンピュータが読み取り可能な記憶媒体。
【請求項２９】
コンピュータを、請求項１２に記載の操作装置の各手段として機能させるためのプログラム。
【請求項３０】
コンピュータを、請求項１２に記載の操作装置の各手段として機能させるためのプログラムを格納した、コンピュータが読み取り可能な記憶媒体。
【請求項３１】
コンピュータを、請求項１３乃至１６のいずれか１項に記載の記録装置の各手段として機能させるためのプログラム。
【請求項３２】
コンピュータを、請求項１３乃至１６のいずれか１項に記載の記録装置の各手段として機能させるためのプログラムを格納した、コンピュータが読み取り可能な記憶媒体。
【発明の詳細な説明】
【技術分野】
【０００１】
本発明は記録媒体に記録されたコンテンツに関連付けて付加情報を記録するコンテンツ管理システム、記録装置、操作装置、およびそれらの制御方法に関するものである。
【背景技術】
【０００２】
近年、小型軽量なメモリカードに撮影した画像等のコンテンツを記録するデジタルスチルカメラやデジタルビデオカメラなどの電子撮像装置が普及している。このような電子撮像装置は多機能化されており、撮影画像だけでなく、撮影した画像に関連付けた様々な付加情報を記録することもできるようになっている。例えば、撮影した画像と共に撮影者情報、撮影場所情報、コメントなどの文字情報を記録することができる。撮影した画像に関連付けた付加情報は、例えば、編集作業を行う際に目的の画像を検索するための情報として用いられている。
【０００３】
特許文献１には、画像の撮影後に撮影画像とともに人物アイコンやジャンルアイコンを表示し、いずれかのアイコンがタッチされると、そのアイコンに関連付けられている個人情報、キーワード等の情報を識別情報として画像に付加することが開示されている。
【０００４】
特許文献２では画像撮像装置に無線機能を搭載し、携帯性に優れたタブレットＰＣやスマートフォンなどの端末機器で編集した付加情報を無線を使用して画像撮像装置に転送することで付加情報の変更処理を行うことが開示されている。
【先行技術文献】
【特許文献】
【０００５】
【特許文献１】特開平１１−１４６３１７号公報
【特許文献２】特開２００３−１８８９５０号公報
【発明の概要】
【発明が解決しようとする課題】
【０００６】
画像に付加する付加情報をユーザが入力した際、その付加情報を関連付ける対象の画像として、主に、これから撮影する画像、現在撮影中である画像、直前に記録した画像の３種類が想定される。そのため、入力された付加情報をどの画像に付加するのかを、上記の３つの選択肢から選ばせることで、ユーザが所望する画像に付加情報を付加することができる。しかし、動画の撮影中において、端末機器でこれら３つの選択肢を表示すると、“これから撮影する画像”が、現在の記録を継続することで記録される画像であるのか、現在の記録を一旦やめた後に改めて記録を開始して記録される画像であるのか分かりにくい。また、“直前に記録した画像”が、現在の記録が始まる前に記録した画像なのか、現在記録している動画クリップのうち記録済み部分のことなのか、が分かりにくい。このように撮影中（記録中）に端末機器を用いて画像に付加情報を付ける際に、どの画像に付加するのかを選択できるようにすると、どの画像に付加されるのかが分かりにくくなり、誤操作に繋がる。
【０００７】
本発明は、上記課題に鑑みてなされたものであり、コンテンツの記録時に付加情報を記録するための操作において、付加情報をユーザが意図したコンテンツに正確に関連付けることを可能にすることを目的とする。
【課題を解決するための手段】
【０００８】
上記目的を達成するための本発明の位置態様によるコンテンツ管理システムは、たとえば以下の構成を備える。すなわち、
コンテンツを記録する記録装置と、前記コンテンツに付加情報を付加するためのユーザ操作を受け付ける操作装置とを有するコンテンツ管理システムであって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備え、
前記操作装置は、前記第１から第３の処理のそれぞれの実行を指示するユーザ操作を受け付けるための表示アイテムを表示する機能を有し、
前記制御手段は、前記第１から第３の処理のうち実行指示のためのユーザ操作を不能にする処理に対応する表示アイテムを表示させないかまたは無効状態の表示とすることにより、実行指示のためのユーザ操作を不能にする。
【発明の効果】
【０００９】
本発明によれば、画像または音を含むコンテンツの記録時に付加情報を記録するための操作において、付加情報をユーザが意図したコンテンツに正確に関連付けることが可能となる。
【図面の簡単な説明】
【００１０】
【図１】実施形態のデジタルビデオカメラ１００のハードウェアブロック図。
【図２】実施形態の携帯端末２００のハードウェアブロック図。
【図３】第１実施形態のデジタルビデオカメラ１００によるカメラモードでの全体処理を示すフローチャート。
【図４】デジタルビデオカメラ１００の制御情報生成処理のフローチャート。
【図５】携帯端末２００の外部機器制御モードでの全体処理のフローチャート。
【図６】携帯端末２００の外部機器制御モードでの画面の表示例を示す図。
【図７】第２の実施形態のデジタルビデオカメラ１００によるカメラモードでの全体処理を示すフローチャート。
【図８】第３の実施形態のデジタルビデオカメラ１００のフローチャート。
【発明を実施するための形態】
【００１１】
＜第１実施形態＞
以下の実施形態では、画像または音を含むコンテンツを記録する記録装置と、記録装置により記録されたコンテンツに付加情報を付加するためのユーザ操作を受け付ける操作装置とを具備したコンテンツ管理システムあるいはコンテンツ管理装置として、動画管理装置を例示して説明する。また、動画を記録可能なデジタルビデオカメラを記録装置として、デジタルビデオカメラと無線または有線により通信が可能な携帯端末を操作装置として例示するが、本発明は、これらに限られるものではない。また、記録装置と操作装置は別体でなくてもよく、記録装置に操作装置が組み込まれた形態であってもよい。図１と図２に、本発明を適用可能な画像管理装置の構成の一例を示す。画像管理装置は、図１に示すデジタルビデオカメラ１００（カムコーダ）と図２に示す携帯端末２００を用いて構成可能なものである。
【００１２】
まず、図１を参照して、本実施形態のデジタルビデオカメラ１００の構成を説明する。図１において、制御部１０には、画像圧縮／伸長部１１、撮像部１２、画像処理部１３、無線通信部１４、表示部１５、操作部１６、ＲＯＭ１７、ＲＡＭ１８、記録媒体Ｉ／Ｆ１９、等の構成部分が接続される。制御部１０と各構成部は互いにデータのやり取りを行うことができるようにされている。
【００１３】
制御部１０は、デジタルビデオカメラ１００のシステム全般を制御するシステム制御部として機能する。制御部１０はＲＯＭ１７に記録されたプログラムをＲＡＭ１８に展開して実行することで、各構成部を制御し、後述のフローチャートを実行する。ＲＯＭ１７は、不揮発性の記録媒体であり、制御部１０が実行するプログラムを記憶している。ＲＡＭ１８は制御部１０のワークメモリとして用いられる揮発性の記録媒体である。また、ＲＡＭ１８は撮像部１２で撮像され、画像処理部１３により画像処理されて得られた画像データや着脱可能な記録媒体２０から読み出した画像データを、画像圧縮／伸長部１１へ提供するために一時格納するメモリとして用いられる。さらに、ＲＡＭ１８は、そのような画像データを表示部１５で表示するために一時格納するＶＲＡＭとしても用いられる。さらには、ＲＡＭ１８は、撮像した画像と共に関連付けて記録すべき付加情報を一時格納する保持領域を提供するためのメモリとしても用いられる。付加情報は無線通信部１４より携帯端末２００から受信することができる。
【００１４】
デジタルビデオカメラ１００には、画像データを記録するための記録媒体２０を着脱可能に装着できる記録媒体Ｉ／Ｆ１９を有する。記録媒体Ｉ／Ｆ１９は、メモリカード等の記録媒体２０を着脱可能に挿入できるスロットになっている。図１においては、記録媒体Ｉ／Ｆ１９に着脱可能な記録媒体２０が装着されている例が示されている。デジタルビデオカメラ１００では、着脱可能な記録媒体２０に画像データを記録する構成で説明したが着脱が不可能でデジタルビデオカメラ１００に内蔵されたメモリに画像データを記録する構成も考えられる。
【００１５】
画像処理部１３は、撮像部１２で撮像された画像データに、所定の画素補間、リサイズ処理や色変換処理を行う。また、画像処理部１３では撮像された画像データを用いて所定の演算処理が行われ、制御部１０は得られた演算結果に基づいて撮像部１２による撮像に関する各種制御（露光制御、オートホワイトバランス制御など）を行う。画像圧縮／伸長部１１は画像処理部１３で画像処理された画像データを圧縮する処理や、着脱可能な記録媒体２０から読み出した画像データに対する伸長処理を行う。
【００１６】
撮像部１２は、撮影レンズ（ズームレンズとフォーカスレンズ含む）と撮像素子を有し、制御部１０の制御に基づき被写体を撮像し、静止画や動画像といった画像データを取得する。表示部１５は、制御部１０の制御に基づき、各種設定状態や、撮像部１２で撮像されている画像、着脱可能記録媒体から読み出して再生した画像などを表示するためのディスプレイである。表示部１５は、覗き込み形のファインダー内のディスプレイや、バリアングルの液晶モニタなどとして構成される。
【００１７】
操作部１６はデジタルビデオカメラ１００に電源を供給するための電源スイッチや、記録開始ボタン、カメラモード（撮影モード）や再生モードに切り替え可能なモード切替ボタンなどを含み、ユーザからの操作を受け付ける。なお操作部１６にタッチパネルが含まれる場合、制御部１０はタッチパネルへの以下のユーザ操作を検出できる。
・タッチパネルを指やペンで触れたこと（以下、タッチダウンと称する）。
・タッチパネルを指やペンで触れている状態であること（以下、タッチオンと称する）。
・タッチパネルを指やペンで触れたまま移動していること（以下、ムーブと称する）。
・タッチパネルへ触れていた指やペンを離したこと（以下、タッチアップと称する）。
・タッチパネルに何も触れていない状態（以下、タッチオフと称する）。
【００１８】
これらのユーザ操作や、タッチパネル上に指やペンが触れている位置座標は制御部１０に通知され、制御部１０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１９】
無線通信部１４は、制御部１０の制御に基づき、携帯端末２００やパーソナルコンピュータといった外部機器とデータの送受信を無線通信により行う。例えば、制御部１０は、無線通信部１４を介して、デジタルビデオカメラ１００の設定情報や操作情報などを外部機器へ送信し、デジタルビデオカメラ１００を操作するコマンドや画像データと共に記録する付加情報などを外部機器から受信する。また、送受信可能なデータとして、デジタル画像データやアナログ映像信号が含まれてもよい。また、デジタルビデオカメラ１００と携帯端末２００の接続は、無線通信に限られず、有線通信が用いられてもよい。
【００２０】
次に、本実施形態の携帯端末２００の構成について説明する。図２において、制御部２１には、表示部２２、操作部２３、無線通信部２４、ＲＯＭ２５、ＲＡＭ２６などの構成部分が接続されている。制御部２１と各構成部は互いにデータのやり取りを行うことができるようにされている。
【００２１】
制御部２１は、携帯端末２００のシステム全般を制御するシステム制御部である。制御部２１はＲＯＭ２５に記録されたプログラムをＲＡＭ２６に展開して実行することで、各構成部を制御し、後述のフローチャートを実行する。ＲＯＭ２５は、不揮発性の記録媒体であり、制御部２１が実行するプログラムを記憶している。ＲＡＭ２６は制御部２１のワークメモリとして用いられる揮発性の記録媒体である。表示部２２は、制御部２１の制御に基づき、各種設定状態や、無線通信部２４より受信したデータ（デジタル画像データやアナログ映像信号を含む）などを表示するためのディスプレイである。
【００２２】
操作部２３は携帯端末２００に電源を供給するための電源スイッチなど、ユーザからの操作を受け付ける各種スイッチを含む。なお操作部２３は操作部１６と同様にタッチパネルを含む。操作部２３に含まれるタッチパネルで受付け可能なユーザ操作及び方式は、前述の操作部１６に含まれるタッチパネルと同様であるものとする。
【００２３】
無線通信部２４は、制御部２１の制御に基づき、デジタルビデオカメラ１００（外部カメラ）やパーソナルコンピュータといった外部機器とデータの送受信を無線通信により行う。データはデジタルビデオカメラ１００の設定情報や操作情報などを受信し、デジタルビデオカメラ１００を操作するコマンドや画像データと共に記録する付加情報などを送信する。また、送受信可能なデータにはデジタル画像データやアナログ映像信号を含み得る。
【００２４】
図３〜図５に示されるフローチャートは、デジタルビデオカメラ１００、携帯端末２００による動作を示す。図３と図４のフローチャートにおける各処理は、デジタルビデオカメラ１００を構成する制御部１０がＲＯＭ１７に格納されたプログラムをＲＡＭ１８に展開して実行することにより実現される。ユーザの操作部１６に対する操作によってデジタルビデオカメラ１００がカメラモード（撮影モード）に設定されると図３の処理を開始する。また、本実施形態では、カメラモードにおいて付加情報を設定する操作として、以下の３つの処理を例示する。
第１の処理：携帯端末２００から受信した付加情報で直前に記録したクリップに関連付けられている付加情報を書き替える、
第２の処理：これから記録しようとしているクリップに関連付ける付加情報として、携帯端末２００から受信した付加情報を適用する、
第３の処理：携帯端末２００から受信した付加情報を現在記録している動画像に関連付ける付加情報として適用する。
【００２５】
図３は、カメラモードでの全体的な処理手順を示したフローチャートである。カメラモードに設定されるとまず、Ｓ３００で、制御部１０は、デジタルビデオカメラ１００の設定状態により携帯端末２００に送信するための制御情報を生成する。この処理の詳細は図４を用いて後述する。Ｓ３０１では、制御部１０は、Ｓ３００で生成した制御情報を無線通信部１４を介して携帯端末２００に送信する。Ｓ３０２では、制御部１０は、無線通信部１４を介して携帯端末２００からデジタルビデオカメラ１００を動作させるコマンドおよび付加情報のデータを受信する。Ｓ３０３では、制御部１０は、動画の記録中であるか、それ以外の記録待機中であるかを判定する。記録中であると判定されるのは例えば、記録開始がなされたあと記録停止がなされていない場合、である。記録中であると判定すると処理はＳ３０４に進み、記録中でない（記録待機中）と判定すると処理はＳ３０８に進む。
【００２６】
Ｓ３０４では、制御部１０は、Ｓ３０２で受信した付加情報を現在記録している動画像に関連付ける付加情報として適用する第３の処理を実行指示するコマンド（以下、Apply Clipコマンドと呼ぶ）を受信したかどうかを判定する。Apply Clipコマンドを受信したと判定した場合は、処理はＳ３０５に進み、受信していないと判定した場合はＳ３０６に進む。Ｓ３０５では、制御部１０は、画像に関連付けて記録すべき付加情報としてＲＡＭ１８の保持領域に保持している付加情報をＳ３０２で受信した付加情報に更新する（この段階ではまだ付加情報を画像自体に関連付ける処理は行わない）。Ｓ３０６では、制御部１０は、記録が停止されたか否かを判定する。記録が停止されたと判定するのは、例えば、
・操作部１６に含まれる映像記録停止ボタンによって動画像データの記録停止が指示された場合、
・Ｓ３０２で記録を停止するコマンドを受信して動画像データの記録停止が指示された場合、である。
【００２７】
記録を停止したと判定すると処理はＳ３０７に進み、停止していないと判定するとＳ３００に戻り、上記の処理が繰り返される。Ｓ３０７では、制御部１０は、今まで記録していたクリップに関連付けられている付加情報の更新を行う。なお１クリップは１つの動画ファイルであるものとする。ただし、単一の動画ファイルのうち記録開始指示を受付けてから記録停止指示を受付けるまでに記録した範囲を示す動画の一部範囲を１クリップとしてもよい。
【００２８】
また、Ｓ３１２で後述するように、動画の記録を開始した時点で一旦その動画に付加情報が関連付けられるので、記録の停止時にはそれまで記録していたクリップには付加情報がすでに関連付けられて存在する。Ｓ３０７では、その既存の付加情報を最新の内容に書き換える処理が行われる。
【００２９】
また、今まで記録していたクリップとそれに関連付けられた付加情報は着脱可能な記録媒体２０に記録されている。例えば、今まで記録していたクリップは動画像のストリームデータを有する動画像ファイルとして、それに関連づけられた付加情報は付加情報ファイルとして、１対１で同一のフォルダに格納されていることで、関連付けがなされている。Ｓ３０７では、記録媒体２０に記録されている今まで記録していたクリップに関連付けられた付加情報ファイルの内容がＲＡＭ１８に保持していた付加情報の内容で更新される。これによって、記録停止をするまでにApply Clipコマンドと共に受信した付加情報があれば、記録を停止した際に、Apply Clipコマンドと共に受信した付加情報でもって画像に関連づけられた付加情報が更新される。記録停止をするまでにApply Clipコマンドと共に受信した付加情報がなければ、画像に関連づけられた付加情報の内容は記録を開始した際に付加された内容と同じとなる。
【００３０】
一方、Ｓ３０８では、制御部１０は、Ｓ３０２で直前に記録したクリップに関連付けられている付加情報を書きかえる第１の処理を実行指示するコマンド（以下、Rewrite Prevコマンドと呼ぶ）を受信したか否かを判定する。Rewrite Prevコマンドを受信したと判定されると処理はＳ３０９に進み、受信していないと判定されるとＳ３１３に進む。Ｓ３０９では、制御部１０は、Ｓ３０５と同様に、画像に関連付けて記録すべき付加情報としてＲＡＭ１８の保持領域に保持されている付加情報をＳ３０２で受信した付加情報に更新する。Ｓ３１０では、制御部１０は、直前に記録したクリップに関連付けて記録媒体２０に記録されている付加情報を更新する。直前に記録したクリップとそれに関連付けられた付加情報は記録媒体２０に、前述のように同一フォルダ内に１対１の対応関係を持って記録されている。従って、制御部１０は、記録媒体２０に記録されている直前に記録したクリップに関連付けられた付加情報を、ＲＡＭ１８に保持していた付加情報で更新する。これによって、直前に記録したクリップに関連づけて着脱可能な記録媒体２０に記録されている付加情報の内容が、Rewrite Prevと共に受信した付加情報の内容に更新される。
【００３１】
一方、Ｓ３１３では、制御部１０は、これから記録しようとしているクリップに関連付けて記録する付加情報を適用する第２の処理を実行指示するコマンド（以下、Next Clipコマンドと呼ぶ）を受信したか否かを判定する。Next Clipコマンドを受信したと判定されると処理はＳ３１４に進み、受信していないと判定されるとＳ３１１に進む。Ｓ３１４では、制御部１０は、Ｓ３０５と同様に、画像に関連付けて記録すべき付加情報としてＲＡＭ１８に保持している付加情報をＳ３０２で受信した付加情報に更新する。
【００３２】
Ｓ３１１では、制御部１０は、記録を開始したか否かを判定する。記録を開始したと判定する場合としては、例えば、
・操作部１６に含まれる記録開始ボタンによって動画像データの記録開始が指示された場合、
・Ｓ３０２で記録を開始するコマンドを受信して動画像データの記録開始が指示された場合、
等が挙げられる。記録を開始したと判定されると処理はＳ３１２に進み、開始していないと判定されるとＳ３００に戻り上記の処理が繰り返される。Ｓ３１２では、制御部１０は、新しく記録を開始したクリップに、ＲＡＭ１８に保持している付加情報を関連付けて記録媒体２０に記録する。これによって、前回の記録停止から今回の記録開始までの間にNext Clipコマンドと共に受信した付加情報があれば、今回記録を開始する画像にNext Clipコマンドと共に受信した付加情報が関連付けて着脱可能な記録媒体２０記録されることとなる。
【００３３】
なお、Rewrite Prevコマンドと共に受信された付加情報であっても、ＲＡＭ１８の保持領域に保持されている付加情報がＳ３０９で更新されるため、今回記録を開始する画像に関連付けて記録されることになる。これを避けるため、図３に示す処理からＳ３０９の処理を省き、Ｓ３１０ではＳ３０２でRewrite Prevコマンドとともに受信した付加情報で記録媒体２０を更新し、ＲＡＭ１８に保持している付加情報は更新しないように処理してもよい。このようにすることで、Rewrite Prevにおいて直前に記録した画像の付加情報だけを更新するようにすることができる。前回の記録停止から今回の記録開始までの間にNext ClipコマンドもRewrite Prevコマンドも受けなかった場合は、その前からＲＡＭ１８の保持領域に保持している付加情報が、直前に記録された画像に関連付けられる。すなわち、前回記録した画像に関連付けられた付加情報と同一内容の付加情報が、直前に記録された画像に関連づけられることとなる。
【００３４】
図４は、図３のＳ３００における制御情報生成処理の詳細を示すフローチャートである。Ｓ４００では、制御部１０は、デジタルビデオカメラが記録中であるか否かを判定する。なお、デジタルビデオカメラ１００が記録中であると判定するのは前述したＳ３０３、Ｓ３０６の処理で説明した通りである。Ｓ４００において記録中であると判定されると処理はＳ４０１へ進み、記録中でないと判定されるとＳ４０２へ進む。
【００３５】
Ｓ４０１で、制御部１０は、Ｓ４００の検出結果が記録中であることに応じ、Ｓ３０１で携帯端末２００に送信される制御情報として、Rewrite Prev／Next Clipを無効にし、Apply Clipを有効にすることを示す情報を生成する。一方、Ｓ４００の検出結果が記録中でない場合、処理はＳ４０２に進む。Ｓ４０２において、制御部１０は、Ｓ３０１で携帯端末２００に送信される制御情報として、Rewrite Prev／Next Clipを有効にし、Apply Clipを無効にすることを示す情報を生成する。なお、Ｓ４０１において、上述の動作に代えて単に記録中であることを示す情報を生成するようにしてもよい。同様に、Ｓ４０２において、上述の動作に代えて単に記録中でないことを示す情報を生成するようにしてもよい。
【００３６】
次に、付加情報の編集等が可能な携帯端末２００の動作を、図５のフローチャート、図６の画面表示例を参照して説明する。なお、図５における各処理は、携帯端末２００を構成する制御部２１がＲＯＭ２５に格納されたプログラムをＲＡＭ２６に展開して実行することにより実現される。ユーザの操作部２３に対する操作によって携帯端末２００が外部機器制御モードに設定されると図５の処理が開始される。また、図６は、外部機器制御モードになったときの携帯端末２００の表示部２２に表示される画面の一例を示す。ここでは携帯端末２００で編集した付加情報をデジタルビデオカメラ１００に送信する操作を行う画面をデジタルビデオカメラ１００が記録中である場合とそうでない場合に分けて説明する。
【００３７】
図６の付加情報編集画面６００はデジタルビデオカメラ１００が記録中であった場合に、記録したクリップに関連付けて記録する付加情報の編集を行いデジタルビデオカメラ１００へデータを送信する操作を行うための画面である。ユーザは操作部２３に含まれる十字キーを操作して各項目の編集を行う。クリップタイトルのフィールド６０１はクリップのタイトルを入力するフィールドである。撮影者のフィールド６０２はクリップを撮影した撮影者を入力するフィールドである。撮影場所のフィールド６０３はクリップの撮影場所を入力するフィールドである。撮影内容のフィールド６０４はクリップの撮影内容を入力するフィールドである。Apply Clipボタン６０５は入力した付加情報を現在記録しているクリップに関連付けて記録するためにデジタルビデオカメラ１００にApply Clipコマンドと付加情報データを無線通信部２４を介して送信する、第３の表示アイテムである。
【００３８】
図６の付加情報編集画面６００はデジタルビデオカメラ１００が記録中でなかった場合に、記録したクリップに関連付けて記録する付加情報の編集を行いデジタルビデオカメラ１００へデータを送信する操作を行うための画面である。ユーザは操作部２３に含まれる十字キーを操作して各項目の編集を行う。フィールド６０１〜６０４の内容は付加情報編集画面６００での説明と同じである。Rewrite Prevボタン６０６は入力した付加情報を直前に記録したクリップに関連付けて記録するためにデジタルビデオカメラ１００にRewrite Prevコマンドと付加情報データを無線通信部２４を介して送信する第１の表示アイテムである。Next Clipボタン６０７は入力した付加情報をこれから記録しようとするクリップに関連付けて記録するためにデジタルビデオカメラ１００にNext Clipコマンドと付加情報データを無線通信部２４を介して送信するための第２の表示アイテムである。
【００３９】
以下、図５を参照して、第１実施形態の携帯端末２００による全体的な処理手順を説明する。外部機器制御モードに設定されるとまず、Ｓ５００で、制御部２１は、デジタルビデオカメラ１００から無線通信部２４を介してデジタルビデオカメラ１００の制御情報を受信する。Ｓ５０１では、制御部２１は、Ｓ５００で受信した制御情報からデジタルビデオカメラ１００が記録中か否かを判定する。記録中と判定されると処理はＳ５０２に進み、記録中でないと判定されるとＳ５０８に進む。なお、Ｓ５０１では、上述のＳ４０１で生成された情報が受信されるとデジタルビデオカメラ１００が記録中であると判定され、Ｓ４０２で生成された情報が受信されるとデジタルビデオカメラ１００が記録中ではないと判定される。
【００４０】
Ｓ５０２では、制御部２１は、記録中でない場合の付加情報編集画面６０８で表示されていたRewrite Prevボタン６０６とNext Clipボタン６０７を非表示とする。なお、付加情報編集画面６０８におけるRewrite Prevボタン６０６とNext Clipボタン６０７の表示は後述のＳ５０９でなされる。Ｓ５０３では、制御部２１は、付加情報編集画面６００にデジタルビデオカメラ１００で現在記録中のクリップに関連付けて記録する付加情報のデータとコマンドを送信するApply Clipボタン６０５を表示する。この結果、デジタルビデオカメラ１００が記録中の場合には、表示部２２に付加情報編集画面６００が表示されることになる。
【００４１】
Ｓ５０４では、制御部２１は、図６で示すクリップタイトルのフィールド６０１、撮影者のフィールド６０２、撮影場所のフィールド６０３、撮影内容のフィールド６０４のいずれかのフィールドへの入力があったか否かを判定する。いずれかのフィールドへの入力があったと判定した場合には、処理はＳ５０５に進み、フィールドへの入力がなかった場合には処理はＳ５０６に進む。Ｓ５０５では、制御部２１は、図６で示す付加情報編集画面６００を更新する。
【００４２】
Ｓ５０６では、制御部２１は、Apply Clipボタンがユーザにより押されたか否かを判定する。なお、「押された」とは、表示されたボタンに対するタッチ操作（タッチダウンやタッチアップ）が行われること、操作部２３を用いて表示されたボタンを選択した後に決定操作が行われたことなどを意味するものとする。Apply Clipボタン６０５が押されたと判定されると処理はＳ５０７に進み、押されていないと判定するとＳ５１６に進む。Ｓ５０７では、制御部２１は、デジタルビデオカメラ１００に送信するApply Clipコマンドと付加情報データを生成する。
【００４３】
一方、Ｓ５０８では記録中である場合に表示される付加情報編集画面６００で表示されていたApply Clipボタン６０５を非表示とする。そして、Ｓ５０９では、制御部２１は、付加情報編集画面にRewrite Prevボタン６０６とNext Clipボタン６０７を表示する。こうして、デジタルビデオカメラ１００が記録中でない場合に表示される付加情報編集画面６０８が表示部２２に表示されることになる。
【００４４】
Ｓ５１０では、Ｓ５０４と同様に、制御部２１は、図６で示すフィールド６０１〜６０４のいずれかに入力があったか否かの判定をする。いずれかのフィールドへの入力があったと判定された場合には処理はＳ５１１に進み、フィールドへの入力がなかった場合にはＳ５１２に進む。Ｓ５１１では、制御部２１は、図６で示す付加情報編集画面６０８を更新する。
【００４５】
Ｓ５１２では、制御部２１は、Rewrite Prevボタン６０６が押下されたか否かを判定する。ユーザによりRewrite Prevボタン６０６が押されたと判定した場合には処理はＳ５１３に進み、押されていないと判定した場合にはＳ５１４に進む。Ｓ５１３では、制御部２１は、デジタルビデオカメラ１００に送信するRewrite Prevコマンドと付加情報データを生成する。
【００４６】
一方、Ｓ５１４では、制御部２１は、Next Clipボタン６０７がユーザにより押されたか否かを判定する。Next Clipボタン６０７が押されたと判定された場合には処理はＳ５１５に進み、押されていないと判定された場合にはＳ５１６に進む。Ｓ５１５では、制御部２１は、デジタルビデオカメラ１００に送信するNext Clipコマンドと付加情報データを生成する。
【００４７】
Ｓ５１６では、制御部２１は、デジタルビデオカメラ１００に送信するコマンドおよびデータが生成されたか否かを判定する。ここでコマンドおよびデータが生成されたと判定するのはＳ５０７、Ｓ５１３、Ｓ５１５のいずれかを処理した場合である。送信するコマンドおよびデータが生成されたと判定されると処理はＳ５１７に進み、生成されていないと判定されるとＳ５００に戻り、上記の処理が繰り返される。Ｓ５１７では、制御部２１は、生成されたコマンドおよび付加情報データを無線通信部２４を介してデジタルビデオカメラ１００に送信する。
【００４８】
以上のように、第１実施形態によればデジタルビデオカメラ１００が記録中である場合とそうでない場合で、携帯端末２００上のボタン（Apply Clip、Rewrite Prev、Next Clip）の表示が切り替わる。これにより、記録中と判定された場合は、操作装置としての携帯端末２００において、Rewrite PrevとNext Clipの処理の実行指示のためのユーザ操作が不能になり、Apply Clipの処理の実行指示のためのユーザ操作が可能になる。また、記録中ではないと判定された場合は、操作装置である携帯端末２００においてRewrite PrevとNext Clipの実行指示のためのユーザ操作を可能にするとともにApply Clipの処理の実行指示のためのユーザ操作が不能になる。すなわち、デジタルビデオカメラ１００の記録状態に適するように携帯端末２００上のボタン表示が切り替わる。このため、すでに記録されてる画像に付加情報を関連付ける操作、これから記録しようとしている画像に付加情報を関連付けて記録する操作、記録している画像に関連付けて記録する操作を、確実に、且つ、容易に行うことができる。なお、上記実施形態では、ボタンの表示／非表示を切り替えたが、ボタンの有効状態、無効状態を切り替えるとともに、それをユーザに提示できればよい。例えば、無効状態のボタンをグレーアウトするようにしてもよい。このように、本実施形態によれば、デジタルビデオカメラ１００における画像の記録状態に応じて、付加情報を付加する対象を選択するために携帯端末２００に表示される操作ボタンの構成が適切に変更される。そのため、付加情報をユーザが意図した画像に正確に記録することができる。
【００４９】
＜第２実施形態＞
第１実施形態では、デジタルビデオカメラ１００から携帯端末２００への制御情報の提供により、携帯端末２００はデジタルビデオカメラ１００が記録中か否かに応じて不要なボタンを無効化する構成を示した。しかしながら、機器間の通信遅延などにより、デジタルビデオカメラ１００の状態と携帯端末２００が把握している状態との間に不一致が生じる場合がある。たとえば、携帯端末２００から記録停止状態に関連したデータ入力コマンド（Rewrite PrevやNext Clip）がデジタルビデオカメラ１００に転送されるまでの間に、デジタルビデオカメラ１００が記録状態に遷移するような場合が挙げられる。第１実施形態では、そのような場合には、記録停止状態に関連したデータ入力コマンドは、Ｓ３０３の判定により無視されることになるが、携帯端末２００から付加情報を発信したユーザはこれに気付かず、意図どおりの付加情報が付与されないことになる。第２実施形態では、このような、不一致が生じた場合にも、適切に付加情報の付与を行なえる画像管理装置を説明する。
【００５０】
第２実施形態のデジタルビデオカメラ１００および携帯端末２００の構成は、第１実施形態（図１、図２）と同様である。図７は、第２実施形態によるデジタルビデオカメラ１００の、記録動作中の処理を説明するフローチャートである。第２実施形態のデジタルビデオカメラ１００は、記録状態においてRewrite PrevやNext Clipを受信した場合にも、これらを単に無視することはせず、適切に動画へ付加情報を関連付ける。そのため、第２実施形態のデジタルビデオカメラ１００では、図３のＳ３０４〜Ｓ３０７の処理を図７に示す処理で置き換える。
【００５１】
まず、第１実施形態の処理と同様に、Ｓ３００で、制御部１０は、デジタルビデオカメラ１００の設定状態により携帯端末２００に送信するための制御情報を生成する。Ｓ３０１では、制御部１０は、Ｓ３００で生成した制御情報を無線通信部１４を介して携帯端末２００に送信する。Ｓ３０２では、制御部１０は、無線通信部１４を介して携帯端末２００からデジタルビデオカメラ１００を動作させるコマンドおよび付加情報のデータを受信する。
【００５２】
そして、Ｓ３０３にて、制御部１０は、デジタルビデオカメラ１００が記録中か否かを判断し、記録中であれば処理をＳ７００へ、記録中でなければ処理をＳ３０８へ進める。Ｓ７００において、制御部１０は、Rewrite Prevコマンドを受信したか否かを検出し、受信した場合はＳ７０１の処理に進み、受信しなかった場合はＳ７０３の処理に進む。Ｓ７０１では、制御部１０は、Rewrite Prevコマンドを受けたことに応じて、ＲＡＭ１８に、“１回前に記録した画像用の付加情報の保持領域”を新たに生成する。この処理により、ＲＡＭ１８には、２つの付加情報保持領域が形成されることになる。すなわち、Apply Clipコマンドとともに取得された付加情報を保持する“現在記録をしている画像に付加すべき付加情報の保持領域”と、“１回前に記録した画像に付加すべき付加情報の保持領域”である。次に、Ｓ７０２で、制御部１０は、“現在記録をしている画像に付加すべき付加情報の保持領域”とＳ７０１で生成された“１回前に記録した画像に付加すべき付加情報の保持領域”の２つの付加情報保持領域に、Ｓ３０２で受信した付加情報を保持させる。
【００５３】
次に、Ｓ７０３では、制御部１０は、Next Clipコマンドを受信したか否かを検出する。Next Clipコマンドを受信したと判定されると、Ｓ７０４において、制御部１０は、ＲＡＭ１８上の“現在記録をしている画像に付加すべき付加情報の保持領域”に保持しているデータを更新する。ただし、“１回前に記録した画像に付加すべき付加情報の保持領域”は更新されない。また、Next Clipコマンドを受信していないと判定された場合は、Ｓ７０４はスキップされて、処理はＳ７０５に進む。
【００５４】
Ｓ７０５において、制御部１０は、デジタルビデオカメラ１００が記録状態に本来受けるべきコマンド（Apply Clipコマンド）を受信したか否かを検出する。Apply Clipを受信したと判定された場合は処理はＳ７０６へ移行し、受信しなかったと判定された場合は処理はＳ７０７に移行する。
【００５５】
Ｓ７０６では、制御部１０は、“現在記録をしている画像に付加すべき付加情報の保持領域”の内容を携帯端末２００からApply Clipコマンドとともに受信した付加情報で更新する。ただし、２つの付加情報保持領域のうちのもう片方である、“１回前に記録した画像に付加すべき付加情報の保持領域”の内容は更新されない。
【００５６】
Ｓ７０７において、制御部１０は、記録停止の要求があったか否かを判定する。記録停止の要求があった場合は、処理はＳ７０８に移行する。Ｓ７０８で、制御部１０は、記録を停止したクリップに関連付けて、“現在記録をしている画像に付加すべき付加情報の保持領域”に保持されているデータを記録媒体２０に記録する。そして、Ｓ７０９において、制御部１０は、Ｓ７０１において“１回前に記録した画像に付加すべき付加情報の保持領域”が生成されたか否かを判定する。“１回前に記録した画像に付加すべき付加情報の保持領域”が生成されたと判定されると処理はＳ７１０に進み、そうでない場合は処理はＳ３００へ戻る。
【００５７】
Ｓ７１０では、制御部１０は、Ｓ７０４で生成された“１回前に記録した画像に付加すべき付加情報の保持領域”のデータを、記録媒体２０に記録された画像のうち上記停止したクリップの１回前に記録されたクリップに関連付けて記録媒体２０に記録する。これによって、記録の開始後に受信したRewrite Prevコマンドを正しく反映することができる。その後、デジタルビデオカメラ１００の記録状態と携帯端末２００において把握される記録状態とが一致するようになると、Rewrite PrevコマンドやNext Clipコマンドの操作ができなくなり、Ｓ７００〜Ｓ７０４の処理は実行されなくなる。なお、記録中に切り替わった時に起動されるタイマにより、「記録待機中」から「記録中」に切り替わった際のＳ７００〜Ｓ７０４の実行期間を制限してもよい。
【００５８】
以上のように、第２実施形態によれば、デジタルビデオカメラ１００が記録状態である場合に、携帯端末２００から記録停止状態に発行されるべきコマンドを受信した場合もユーザが選択したクリップに正しく付加情報を関連付けることが可能となる。
【００５９】
＜第３実施形態＞
第２実施形態では、デジタルビデオカメラ１００が記録動作中に記録停止状態で発行されるべきコマンド（Rewrite Prev／Next Clip）を受信した場合の動作を説明した。第３実施形態では、デジタルビデオカメラ１００が記録停止中に、記録動作状態で発行されるべきコマンド（Apply Clip）を受信した場合でも、正しく付加情報を画像（クリップ）に関連付ける構成を説明する。なお、第３実施形態のデジタルビデオカメラ１００、携帯端末２００の構成は、第１実施形態（図１、図２）と同様である。以下、図８のフローチャートを参照して、第３実施形態によるデジタルビデオカメラ１００の動作を説明する。
【００６０】
図８は、デジタルビデオカメラ１００が記録停止状態である場合に、携帯端末２００から記録動作中に発行されるべきデータ入力コマンド（Apply Clip）を受信した場合のデジタルビデオカメラ１００の動作を示すフローチャートである。図８の処理は、図３のＳ３０３（ＮＯ）とＳ３０８の間に挿入される処理である。なお、上記のような不一致な状態は、機器間の通信遅延などにより発生する。たとえば、携帯端末２００から記録状態に関連したデータ入力コマンドがデジタルビデオカメラ１００に転送されるまでの間に、デジタルビデオカメラ１００が記録停止状態に遷移するような場合に発生し得る。
【００６１】
まず、第１実施形態の処理と同様に、Ｓ３００で、制御部１０は、デジタルビデオカメラ１００の設定状態に応じて携帯端末２００に送信するための制御情報（記録中か否か、或いは各コマンドが無効か否かを示す情報を含む）を生成する。Ｓ３０１では、制御部１０は、Ｓ３００で生成した制御情報を無線通信部１４を介して携帯端末２００に送信する。Ｓ３０２では、制御部１０は、無線通信部１４を介して携帯端末２００からデジタルビデオカメラ１００を動作させるコマンドおよび付加情報のデータを受信する。
【００６２】
Ｓ３０３において、デジタルビデオカメラ１００が記録中と判定されると、処理はＳ８００へ進む。Ｓ８００にて、制御部１０は、Apply Clipコマンドを受信したか否かを検出する。Apply Clipコマンドを受信したと判定された場合は処理はＳ８０１に進み、受信しなかったと判定された場合は、処理をＳ３０８へ進める。Ｓ８０１では、制御部１０は、Apply Clipコマンドを受けたことに応じて、ＲＡＭ１８上の付加情報保持領域に保持しているデータを、Ｓ３０２で受信したデータで更新する。そして、Ｓ８０２において、制御部１０は、直前に記録を停止したクリップ（記録媒体２０への記録を直前に終了した、記録済みの最新の画像）に関連付けて付加情報を記録媒体２０に記録する。そして、処理はＳ３１１へ進む。その後、デジタルビデオカメラ１００の記録状態と携帯端末２００において把握される記録状態とが一致するようになると、Apply Clipコマンドの操作ができなくなり、Ｓ８００〜Ｓ８０２の処理は実行されなくなる。なお、記録中に切り替わった時に起動されるタイマにより、「記録中」から「記録待機中」に切り替わった際の、Ｓ８００〜Ｓ８０２の実行期間を制限してもよい。
【００６３】
以上のように、第３実施形態によれば、デジタルビデオカメラ１００が記録停止状態に、携帯端末２００から記録動作中に発行されるべきコマンド（Apply Clip）を受信した場合もユーザが選択したクリップに正しく付加情報を記録することが可能となる。
【００６４】
以上、説明したように、上記各実施形態によれば、画像管理装置での画像の記録状態に応じて、端末端末の操作ボタンの構成が変更される。このため、「すでに記録されてる画像に付加情報を関連付ける」のか、「これから記録しようとしている画像に付加情報を関連付ける」のか、「現在記録している画像に関連付けるのか」をユーザが正確に把握し記録することができる。
【００６５】
なお、上述の各実施形態では、デジタルビデオカメラ１００とは別体の携帯端末２００から画像の付加情報の内容と付加する対象の画像の指定を行えるようにしている。このような構成としたシステムを用いた場合、映画の撮影現場などでは、監督、デジタルビデオカメラ１００を用いて画像を撮影するカメラマン、携帯端末２００を用いて付加情報を入力するスタッフとをそれぞれ別の人物として作業にあたることが考えられる。このような場合には、カメラマンが行うカメラ操作タイミングと、付加情報を入力する入力スタッフが付加情報を付加するタイミングの連携を取ることが難しく、誤操作が起きやすいため、本発明の効果は特に顕著である。
【００６６】
また、上述の第１〜第３の実施形態で説明した携帯端末２００で行える操作を、デジタルビデオカメラ１００に備えられた表示部１５と操作部１６を介して行えるようにすることもできる。すなわち、本実施形態でデジタルビデオカメラ１００側と携帯端末２００側で行った処理は、デジタルビデオカメラ１００側でも行うこともできる。すなわち、本発明は、単一の装置としての画像管理装置が、画像を記録する処理と、付加情報の内容の入力と付加対象画像の選択を行う処理の双方を行う場合にも適用可能である。すなわち、制御部１０及び制御部２１の制御は１つのハードウェアが行ってもよいし、複数のハードウェアが処理を分担することで、制御を行ってもよい。
【００６７】
さらに、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６８】
付加情報の関連付けの仕方としては、付加情報を画像ファイルとは独立した付加情報ファイルとして、動画ファイルと同一のフォルダに格納することで関連付けを行う例を説明したが、これに限られるものではない。関連付けの方法はリストや、ファイル名に同一の文字列をいれることなどにより行ってもよいし、画像ファイル内のヘッダ部分に付加情報を直接記録する方法などでもよい。
【００６９】
さらに、上述した実施形態においては、本発明をデジタルビデオカメラに適用した場合を例にして説明したが、これはこの例に限定されない。撮像された画像以外でも、例えば外部から入力された画像や音楽等を記録する際に付加情報を関連づけて記録する際にも本発明は適用可能である。すなわち、画像や音楽等のコンテンツを記録し、記録したコンテンツに付加情報を関連づけられるコンテンツ管理装置であれば本発明は適用可能である。従って、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、テレビ、ＤＶＤレコーダーなどに適用可能である。
【００７０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005856436.tif 000002
【図２】
0005856436.tif 000003
【図３】
0005856436.tif 000004
【図４】
0005856436.tif 000005
【図５】
0005856436.tif 000006
【図６】
0005856436.tif 000007
【図７】
0005856436.tif 000008
【図８】
0005856436.tif 000009